(57)【要約】【課題】  契約および供給業者の管理に関して、十分に統合された供給業者管理の解決法を配信できるようにする。【解決手段】  本発明にかかるシステムは、企業体の商品およびサービスの調達を行う、包括的な契約および供給業者の管理ツールを提供するように設計される。このシステムは、商品およびサービスの調達作業者が使用する供給業者および契約の情報データベースを含む。この供給業者／契約データベースは、購入および供給業者との契約の管理をサポートする詳細な文書にアクセスするドリルダウン機能を備えた概要レベルの事業制御データおよび決定データへのアクセスを提供する。【選択図】図１
2005259135.tif 000002
【特許請求の範囲】
【請求項１】
企業体の商品またはサービスの調達を管理するコンピュータ実施される方法であって、
前記企業体の供給業者および契約の情報用の一元化されたネットワークアクセス可能レポジトリ（１０２）を設けることと、
前記供給業者および契約の情報レポジトリ（１０２）に、供給業者を識別するメカニズム（１１０）を設けることと、
企業体の調達に関係した財務情報のストレージを設けること、
前記供給業者および契約の情報レポジトリ（１０２）に、供給業者の供給業者業績評価用のレポジトリを設けることと、
前記供給業者および契約の情報レポジトリ（１０２）、前記供給業者識別メカニズム（１１０）、前記企業体の調達に関係した財務情報、および前記供給業者業績評価にアクセスする単一のインタフェース（１０４）を設けることと
を含む方法。
【請求項２】
商品またはサービスを一意に識別するメカニズム（１１０）を設けるステップ
をさらに含み、
前記単一のインタフェースを設けるステップは、
前記商品またはサービスを一意に識別するメカニズム（１１０）によって提供された一意の識別子にアクセスするインタフェースを設けること
を含む
請求項１に記載のコンピュータ実施される方法。
【請求項３】
前記一元化されたネットワークアクセス可能なレポジトリ（１０２）によってアクセス可能な文書レポジトリ（１１８）を設けるステップ
をさらに含み、
前記単一のインタフェースを設けるステップは、
前記文書レポジトリ（１０２）にアクセスするインタフェースを設けること
を含む
請求項１に記載のコンピュータ実施される方法。
【請求項４】
前記単一のインタフェースを設けるステップは、
前記供給業者識別メカニズム（１１０）からの供給業者識別子に基づくユーザの問い合わせに応答して、供給業者ごとに支払われた全購入金額を提供すること
をさらに含む
請求項１に記載のコンピュータ実施される方法。
【請求項５】
前記単一のインタフェースを設けるステップは、
前記一意の商品またはサービスの識別子メカニズム（１１０）からの一意の商品またはサービスの識別子に基づくユーザの問い合わせに応答して、商品またはサービスごとに支払われた全購入金額を提供すること
をさらに含む
請求項２に記載のコンピュータ実施される方法。
【請求項６】
企業体の供給業者および契約の情報用の一元化されたネットワークアクセス可能レポジトリ（１０２）と、
企業体の調達に関係した財務情報を提供する一元化されたレポジトリに接続された財務情報レポジトリと、
前記一元化されたレポジトリに接続され、該一元化されたレポジトリ（１０２）に供給業者の業績評価を設ける供給業者業績評価レポジトリと、
前記一元化されたレポジトリに接続され、前記レポジトリ（１０２）、ならびに前記接続された財務情報レポジトリおよび供給業者業績評価レポジトリに記憶された情報にアクセスするユーザインタフェース（１０４）と
を備えるコンピュータ実施される企業体全体の調達システム。
【請求項７】
前記財務情報レポジトリは、
一意の供給業者識別子に基づく供給業者ごとに支払われた全購入金額
を含む
請求項６に記載のコンピュータ実施される企業体全体の調達システム。
【請求項８】
前記財務情報レポジトリは、
一意の商品またはサービスの識別子に基づく商品またはサービスごとに支払われた全購入金額
を含む
請求項６に記載のコンピュータ実施される企業体全体の調達システム。
【請求項９】
企業体全体の統合調達管理システムの少なくとも１つのマシン実行可能命令シーケンスを含むコンピュータ可読媒体であって、１つまたは２つ以上のプロセッサによる前記命令の実行が、この１つまたは２つ以上のプロセッサに、
（Ａ）前記企業体の供給業者および契約の情報用の一元化されたネットワークアクセス可能レポジトリ（１０２）を設けることと、
（Ｂ）前記供給業者および契約の情報レポジトリ（１０２）において供給業者を識別することと、
（Ｃ）企業体の調達に関係した財務情報を記憶することと、
（Ｄ）前記供給業者および契約の情報レポジトリ（１０２）に、供給業者の供給業者業績評価を記憶することと、
（Ｅ）前記供給業者および契約の情報レポジトリ（１０２）、供給業者識別メカニズム（１１０）、企業体の調達に関係した財務情報、および供給業者業績評価にアクセスする単一のインタフェース（１０４）をユーザに提供することと
を行わせるコンピュータ可読媒体。
【請求項１０】
１つまたは２つ以上のプロセッサによって実行されると、該１つまたは２つ以上のプロセッサに、供給業者の商品またはサービスを一意に識別することを行わせる命令
をさらに含み、
前記ステップＥは、
前記一意の商品またはサービスの識別子にアクセスするインタフェースを設けること
をさらに含む
請求項９に記載のコンピュータ可読媒体。
【発明の詳細な説明】
【技術分野】
【０００１】
本発明は、契約および供給業者の管理に関する。
【背景技術】
【０００２】
企業は、商品およびサービスの供給業者と契約を結ぶ。
大企業は、数多くの商品およびサービスの多数の供給業者と契約を結ぶ。
商品およびサービスは、企業の日々の経営を維持するのに重大であることが多い。
企業の契約および供給業者を有効に管理することは、結果的にその企業の節約になる。
【０００３】
物理的なファイル、用紙、またはレポートの使用を通じて契約情報および供給業者情報を手動で管理することが、当該技術分野で知られている。
しかしながら、契約が複雑で、かつ、多くなり、さらに供給業者も多くなると、供給業者、供給業者に関連した入札、およびあらゆる関連した契約に関係する情報の編成およびアクセスの効率を増大させることが必要とされる。
さらに、分散した企業は、類似のまたは同じ商品またはサービスについて、異なる場所の複数の供給業者と契約を結ぶ場合がある。
これに加えて、情報への位置に依存しないアクセスが、分散した企業には重要である。
【発明の開示】
【発明が解決しようとする課題】
【０００４】
市場における従来の手法は、十分に統合された供給業者管理の解決法を配信できないので失敗してきた。
試みられた他の解決法は、通常、専ら契約管理に的を絞った供給業者管理に対する部分的な解決法のみを配信していた。
【課題を解決するための手段】
【０００５】
本発明の一実施の形態によるシステムは、企業体の商品およびサービスの調達を行う、包括的な契約および供給業者の管理ツールを提供するように設計される。
このシステムは、商品およびサービスの調達作業者が使用する供給業者および契約の情報データベースを含む。
この供給業者／契約データベースは、購入および供給業者との契約の管理をサポートする詳細な文書にアクセスするドリルダウン機能を備えた概要レベルの事業制御データおよび決定データへのアクセスを提供する。
【０００６】
企業体の商品およびサービスの調達を管理する方法、管理するシステム、および管理する命令を含むコンピュータ可読媒体が以下で説明される。
企業体の供給業者および契約の情報用の一元化されたネットワークアクセス可能レポジトリが設けられると共に、この供給業者および契約の情報レポジトリにおいて供給業者を識別するメカニズム、企業体の調達に関係した財務情報のストレージ、ならびに供給業者および契約の情報レポジトリにおける供給業者の業績評価用のレポジトリも設けられる。
供給業者および契約の情報レポジトリ、供給業者識別メカニズム、企業体の調達に関係した財務情報、ならびに供給業者業績評価にアクセスする単一のインタフェースがユーザに提供される。
【０００７】
本発明の一実施の形態による統合手法は、データ解析から供給業者の評価に至るまで、戦略的な調達プロセスライフサイクル全体を包含する。
また、この統合手法は、世界中のユーザが使用する「仮想的な」ファイルキャビネットを作成するすべての供給業者文書用の単一のレポジトリも作成する。
【０００８】
本発明のさらに他の利点は、以下の詳細な説明から当業者には容易に明らかになろう。
以下の詳細な説明では、本発明の好ましい実施の形態が図示して説明される。
これらの好ましい実施の形態は、本発明を実行する、検討された最良な形態の単なる例示にすぎない。
理解されるように、本発明から全く逸脱することなく、本発明は、他の実施の形態および異なる実施の形態が可能であり、そのいくつかの詳細は、自明なさまざまな点で変更が可能である。
【０００９】
本発明は、添付図面の図に、限定ではなく例として図示される。
添付図面において、同じ参照符号を有する要素は、図面全体を通じて同じ要素を表す。
【発明を実施するための最良の形態】
【００１０】
調達ワークベンチ（procurement workbench）という用語は、ユーザ、すなわち調達専門家を、戦略的な調達プロセスライフサイクルを通じてサポートするように明確に設計された広義の１組のウェブベース統合ツールを指す。
このワークベンチは、契約／供給業者データベースと、供給業者参照サーバ、企業体ディレクトリ、トータルバイ（Total Buy）、および商品符号化ツール（Commodity Coding Tool）へのリンクを有する文書ライブラリとを導入する。
ワークベンチのユーザフレンドリな設計は、企業のウェブポータルと一貫性のあるルックアンドフィールを保持する。
追加されたツールは、企業にとって最良な製品および／またはサービスを可能な最良価格で購入するという、それらツールの定義された経営目的を満たす際に、調達コミュニティをサポートする。
【００１１】
この新しいウェブベースシステムは、以下の利点のいくつかを提供する。
・グローバルなデータ可用性および強化されたデータ完全性を確保する。
・場所にかかわらず実際の契約に可視性を提供する。
・供給業者／契約データベースおよび文書ライブラリをユーザ向けにシームレスに統合する。
・既存の契約および文書の利用を通じてコストを削減し、冗長な活動をなくす。
・契約が満了する予定の場合等に警告およびトリガを自動化する。
・強化された検索能力および報告能力を提供する。
・ＵＮ／ＳＰＳＣ商品コード等の業界標準を利用する。
・商品および地理的客層（geographic audience）の双方に対するグローバルな商品およびサービスの調達ユーザのニーズを満たし、それらニーズをポータルに統合する。
・調達活動情報の実時間の全体的視野を提供することによって、詳細な情報を得た上での判断を行う権限を調達専門家に与える。
・インタフェースの使いやすさを通じて、全従業員経験を改善する。
【００１２】
ワークベンチは、以下の重要な機能のいくつかを提供する。
・調達専門家によって管理運営されたすべての契約の供給業者および契約の概要情報を閲覧するためのウェブの中心位置を提供する。
・供給業者レベルでの「階層コード（Tier Code）」および「主商品コード」の割り当ておよび維持のためのメカニズムを提供する。
・追加供給業者管理情報の取り込みおよび維持のための環境を提供する。
この情報は、調達作業者の契約による供給業者との関係の進行中のレビューおよび維持に関連付けられる。
この情報は、ＴＱＲＤＣＥ、保険、入札書式、および供給業者のリスク評価に関する情報を含む。
・トータルバイから支出データ（spend data）を提供する。
・カスタム開発された組み込み報告ツールを提供し、データアドミニストレータは追加顧客報告を提供することができる。
・より良い全体の可視性および管理のために、単一の供給業者リストに契約データを関連付ける。
・契約情報への簡単なアクセスを提供し、ほとんどの日常的な契約管理監視タスクを自動化する。
・共有された供給業者情報および文書を用いて戦略的な供給業者管理を可能にする。
・グローバルアクセスを提供し、取引制御および決定のデータを通じて購入および供給業者との契約締結の全体的管理をサポートする。
【００１３】
図１は、調達ワークベンチ１００（破線）を示すハイレベルブロック図である。
この調達ワークベンチ１００は、情報ソースおよび情報シンクとして機能する付加オブジェクトとの文脈において、本発明による調達ワークベンチの一実施の形態と共に使用される契約／供給業者データベース１０２を含む。
Ｃ／Ｓデータベース１０２は、付加オブジェクトから受信された情報および付加オブジェクトへ送信された情報の中央レポジトリ／ソースである。
付加オブジェクトには、商品およびサービスの調達ウェブポータルオブジェクト１０４、マーケティングオブジェクト１０６、中央アドミニストレータオブジェクト１０８、供給業者参照システム（ＳＲＳ）オブジェクト１１０、商品コードオブジェクト１１２、トータルバイオブジェクト１１４、企業体ディレクトリオブジェクト１１６、および文書ライブラリオブジェクト１１８が含まれる。
調達ワークベンチ１００は、これら付加オブジェクトが提供した情報へのアクセス、および、Ｃ／Ｓデータベース１０２に記憶された情報へのアクセスを統合する。
【００１４】
商品およびサービスの調達ウェブポータルオブジェクト１０４は、以下で詳述するフロントエンドのグラフィカルユーザインタフェース（ＧＵＩ）の形式で本発明の調達ワークベンチ１００へのユーザアクセスを可能にする。
マーケティングオブジェクト１０６は、マーケティング情報、例えばダン＆ブラッドストリート（Dunn & Bradstreet）報告および情報へのアクセスを可能にする。
中央アドミニストレータオブジェクト１０８は、Ｃ／Ｓデータベースに関係した管理運営オペレーションのためのＣ／Ｓデータベース１００へのアドミニストレータユーザアクセスを可能にする。
【００１５】
ＳＲＳオブジェクト１１０は、供給業者情報、例えば供給業者識別子、供給業者名、住所、企業コード（business code）、および他の供給業者に関係した情報へのアクセスを可能にする。
商品コードオブジェクト１１２は、製品およびサービスを分類する商品コード情報へのアクセスを可能にする。
トータルバイオブジェクト１１４は、供給業者、または、商品、すなわち供給業者が提供する特定の商品もしくはサービスに支払われた金額に関係した財務データへのアクセスを可能にする。
企業体ディレクトリオブジェクト１１６は、調達ワークベンチ１００のユーザ用の人的資源情報および認証／認可情報へのアクセスを可能にする。
文書ライブラリオブジェクト１１８は、文書の記憶および取り出しを可能にする。
【００１６】
［外部オブジェクト］
図２は、図１の調達ワークベンチ１００の一部のハイレベルブロック図であり、Ｃ／Ｓデータベース１０２内の詳細を追加して示し、調達ワークベンチ１００が相互作用する外部システムを識別するものである。
Ｃ／Ｓデータベース１０２は、供給業者オブジェクト２０２、ベンダファミリーマスタオブジェクト２０４、およびトータルバイベンダマスタ２０６を含む。
ワークベンチ１００は外部オブジェクトと相互作用する。
外部オブジェクトには、ＳＲＳオブジェクト１１０、マーケティングオブジェクト１０６、文書ライブラリオブジェクト１１８、企業体ディレクトリオブジェクト１１６、商品コードオブジェクト１１２、およびトータルバイオブジェクト１１４が含まれる。
これら外部オブジェクトは、外部システムと呼ばれることもある。
【００１７】
外部オブジェクトとインタフェースするプロセスを自動化するために、数組の自動化ツール（各外部オブジェクトに１つずつ）が、ワークベンチ１００の一部として統合される。
自動化された外部インタフェースツールは、スクリプトであり、利用可能なスクリプト機構の組み合わせを使用して記述される。
このようなスクリプトには、シェル、パール、セッド、ａｗｋ、および他のスクリプトメカニズムが含まれ得る。
外部インタフェースツールのそれぞれは構成ファイルを含む。
構成ファイルは、各外部インタフェースにつき１つである。
外部オブジェクトのそれぞれは、以下でより詳細に説明する。
【００１８】
［マーケティングオブジェクト］
ダンおよびブラッドストリート（Ｄ＆Ｂ）階層モデルをワークベンチ１００で使用することによって、或る供給業者の、財務所有権（financial ownership）または事業形態に基づく他の供給業者とのファミリー関係に基づいて、さまざまな原始的なビューまたは一元化されたビューで供給業者情報を閲覧することができる。
【００１９】
ダンおよびブラッドストリートは、各企業位置（business location）に割り当てられた一意のＤ＆Ｂ  ＩＤ番号を利用する作業ファミリーツリーを有する。
このモデルは、ブランチオフィスの本社への関連付けおよび関連子会社の親会社への関連付けを可能にし、これらのそれぞれは、国内最上位親会社、そして最終的には最上位親会社エンティティと提携する。
この情報は、マーケティンググローバルデータベースを通じて、または、ダンおよびブラッドストリートへの直接リンクを通じて利用可能である。
【００２０】
ワークベンチ１００は、供給業者および契約／文書ライブラリデータベースに保持されることになるすべての供給業者データエレメントの関連付けに重要なフィールドとして、ＳＲＳ  ＩＤの割り当てに対する依存関係を確立している。
そして、この依存関係は、この情報の、今後の取引システム、支払いシステム、および追跡／報告システムから生成された情報への結合を可能にする。
【００２１】
Ｄ＆Ｂ階層モデルからの情報をワークベンチ１００で使用することによって、或る供給業者の、他の供給業者、財務所有権、または事業形態とのファミリー関係に基づいて、さまざまな原始的なビューまたは一元化されたビューで供給業者情報を閲覧することができる。
【００２２】
［ＳＲＳオブジェクト］
既存の少数派の企業コードは、既存の供給業者用のＳＲＳコードによって上書きされる。
すべての供給業者のステータスは、係属中、アクティブ、非アクティブ、または閉鎖（blocked）に変換され、供給業者連絡先の最初の連絡先住所のみが移動する。
既存のすべての供給業者のファミリー情報は更新する必要がある。
存在しない親用の新たなＳＲＳ供給業者に関連するデータが、ＳＲＳおよび供給業者契約データベースに追加される。
すべての親供給業者は子に関連付けられて階層を示す。
すべてのデータは、既存の（使用されている）データベースからフラットファイルにダウンロードされ、フラットファイルは、供給業者契約データベースのフォーマットに従って変更され、供給業者契約データベースにアップロードされる。
【００２３】
ＳＲＳは、供給業者に関係した情報を記憶する。
ワークベンチ１００では、ローカルに利用可能なＳＲＳデータを有することが必要である。
ワークベンチ１００は、供給業者のデータを中心に展開する。
したがって、ＳＲＳのワークベンチ１００への統合は、完璧な方法で行うことが必要とされる。
ＳＲＳデータは、ＳＲＳシステムからＸＭＬフォーマットで取得される。
ＳＲＳデータは、構文解析され、次いで、テーブルにロードされる。
ＳＲＳは、１０分ごとに増加するデータ（incremental data）を送信する。
【００２４】
ワークベンチアプリケーションは、ＳＲＳからのＸＭＬデータファイルを連続的に処理する自動化プロセスを有する。
例えば、ＨＰ  ＵＮＩＸ（登録商標）システムにおいて１５分ごとにスケジューリングされたＣｒｏｎジョブが、ＳＲＳからのＸＭＬデータファイルを処理する。
特定の実施の形態では、ＳＲＳシステムは、例えばファイル転送プロトコル（ｆｔｐ）を介して、増加するデータファイルを本発明によるシステムの指定されたディレクトリに転送する。
予め定義されたスクリプトが、そのディレクトリをチェックし、データファイルを読み出し、データファイルをワークベンチテーブルにロードする。
【００２５】
テーブル名（以下の図３の図を参照）には、以下のものが含まれる。
・ＷＢ＿ＳＵＰＰＬＩＥＲ
・ＷＢ＿ＳＰＰＬＲ＿ＣＮＴＣＴ
・ＷＢ＿ＳＵＰＰＬ＿ＣＮＴＣＴ＿ＭＡＰ
【００２６】
上記テーブルにおける対象となるフィールドには、以下のものが含まれる。
・＃＃  ＷＢ＿ＳＵＰＰＬＩＥＲテーブルにおいて
・ＳＰＰＬＲ＿ＮＵＭ
・ＤＵＮＳ＿ＩＤ
・ＭＮＲＴＹ＿ＢＳＮＳＳ＿ＣＯＤＥ
・ＳＰＰＬＲ＿ＮＡＭＥ
・＃＃  ＷＢ＿ＳＰＰＬＲ＿ＣＮＴＣＴテーブルにおいて
・ＣＮＴＣＴ＿ＮＵＭ
・ＡＤＤＲＳ１
・ＡＤＤＲＳ２
・ＣＩＴＹ
・ＰＯ＿ＢＯＸ＿ＣＩＴＹ
・ＳＴＡＴＥ
・ＣＮＴＲＹ
・ＰＳＴＬ＿ＣＯＤＥ
・ＰＯ＿ＢＯＸ＿ＰＳＴＬ＿ＣＯＤＥ
・ＰＨＮＥ＿ＮＵＭ
・ＰＨＮＥ＿ＮＵＭ２
・ＦＡＸ＿ＮＵＭ
・ＷＥＢ＿ＰＡＧＥ＿ＡＤＤＲＳ
・ＣＲＥＡＴＥＤ＿ＢＹ
・ＣＲＥＡＴＥＤ＿ＤＴ
・＃＃  ＷＢ＿ＳＵＰＰＬ＿ＣＮＴＣＴ＿ＭＡＰテーブルにおいて
・ＳＰＰＬＲ＿ＮＵＭ
・ＣＮＴＣＴ＿ＮＵＭ
・ＰＲＩＭＡＲＹ＿ＦＬＡＧ
【００２７】
スクリプトは、入力ファイルから一時に１つのレコードを読み出し、そのレコードの有効性をチェックする。
いずれかの入力レコードに関連して何か問題があると、その問題が報告され、スクリプトは中断する。
全ロードプロセスはトランザクションとして扱われる。
入力データファイルでは、すべての供給業者レコードがワークベンチ１００にロードされる。
入力データファイルからの供給業者レコードが、エラーのためにロードできない場合、スクリプトはロールバックして、そのエラーはログファイルにログ記録される。
また、特定の実施の形態では、電子メールが送信され、障害が提示される。
【００２８】
入力レコードが有効であると、そのレコードは、供給業者の新たなレコードまたは既存の供給業者についての更新された情報のいずれかを含む。
以下のステップは、新たなレコードまたは既存のレコードの更新版の適切な挿入を確保するのに使用される。
１．データベーストランザクションモードを有効にする。
２．入力データファイルをレコードごとに読み出す。
各レコードは、上述したように、ワークベンチ１００の３つのテーブルを更新する情報を含む。
３．所与の供給業者番号がＷＢ＿ＳＵＰＰＬＩＥＲテーブルにあるかどうかをチェックする。
４．供給業者番号が存在する場合には、テーブルの供給業者のレコードを更新する。
供給業者番号が存在しない場合には、供給業者の新たなレコードをテーブルに挿入する。
５．次いで、テーブルＷＢ＿ＳＵＰＰＬ＿ＣＮＴＣＴ＿ＭＡＰにおいて「Ｐｒｉｍａｒｙ  Ｆｌａｇ（主フラグ）」が「Ｙ」に設定されている供給業者の連絡先番号（Contact Number）が存在するかどうかをチェックする。
６．ステップ５で「Ｙ」が見つからない場合には、供給業者の新たなレコードをテーブルに挿入する。
供給業者の連絡先番号が順次生成される。
７．新たなレコードをテーブルに挿入した後、供給業者の関連付けられた連絡先番号をテーブルから探し出す。
８．ＷＢ＿ＳＰＰＬＲ＿ＣＮＴＣＴテーブルに連絡先番号のレコードが存在するかどうかを判断する。
９．レコードが存在しない場合には、連絡先番号のデータをテーブルに挿入する。
一方、（データベースの一貫性がないために）連絡先番号のレコードがすでに存在する場合には、連絡先番号のレコードを更新する。
１０．供給業者番号に利用可能な連絡先番号がＷＢ＿ＳＵＰＰＬ＿ＣＮＴＣＴ＿ＭＡＰテーブルに存在する場合には、供給業者の連絡先番号を取り出し、その連絡先番号に対応するレコードをＷＢ＿ＳＰＰＬＲ＿ＣＮＴＣＴテーブルに挿入または更新する。
【００２９】
最後に、特定の実施の形態において完了が成功すると、スクリプトは、ステータスを提示する電子メールを送信し、ログファイルを添付する。
ログファイルは、非常に参考になるものであり、何らかの障害がある場合にレビューされる。
障害の場合に、スクリプトは、アドミニストレータユーザにも電子メールを送信する。
【００３０】
［商品コードオブジェクト］
商品コードは、国際連合標準製品およびサービスコード（ＵＮＳＰＳＣ）から取得される。
商品コードオブジェクトは、コードを２週間ごとの頻度でダウンロードする。
【００３１】
商品コードインタフェースは、商品コードの更新版をＵＮＳＰＳＣから取得するために必要である。
商品コードの更新版は、Ｅｘｃｅｌデータの形式で入手可能である。
ダウンロードされたデータは、ワークベンチデータベーステーブル：ｗｂ＿ｃｍｍｄｔｙ＿ｃｏｄｅｓの商品コードおよびそれらの各説明をロードするために処理を受けなければならない。
【００３２】
このデータファイルの処理は、フラットファイルがＥｘｃｅｌファイルから生成されることを意味し、このフラットファイルは、商品コードおよび説明のみを含むことになる。
【００３３】
テーブルのＣｒｅａｔｅｄ  Ｂｙ（作成）列に入るデータ「ＵＮＳＰＳＣ」と、ワークベンチデータベーステーブルのＣｒｅａｔｅｄ  Ｄａｔｅ（作成日）列に入るシステム日付（コードがワークベンチ１００にアップロードされる日付）とによって、フラットファイルの各レコードは追加される。
【００３４】
ワークベンチデータベースで利用可能な商品コードは、１０文字コードから成り、そのコードと共に説明を有する。
コードは、以下のように分割される。
・最初の２文字      −セグメント
・２番目の２文字    −ファミリー
・３番目の２文字    −クラス
・４番目の２文字    −商品
・５番目の２文字    −ＢＴＩ（現在未使用）
【００３５】
［トータルバイオブジェクト］
トータルバイは、選択された財務データの世界的データベースである。
トータルバイは、トータルバイサーバにすべてのデータを記憶する。
トータルバイサーバは、一特定の実施の形態では、ＮＴ  ４．０ソフトウェアおよびＳＱＬサーバ７．０ソフトウェアを含む。
ワークベンチプロジェクトの要件に解決法を提供することは、２ステップのプロセスである。
１．トータルバイからデータを引き出す。
２．引き出したデータをワークベンチデータベースにおいて更新する。
【００３６】
引き出したデータは、ＶｅｎｄｏｒＭａｓｔｅｒＮａｍｅ（ベンダマスタ名）と、ベンダに支払ったドル総額と、最近の２４箇月間、ベンダへ毎月支払ったドル総額とから成る。
バッチプログラムが、１箇月に１回実行されて、このデータを引き出し、ワークベンチデータベースを更新する。
【００３７】
Ａｇｇｒｅｇａｔｅ＿Ｔｏｔａｌ＿Ｂｕｙ（総計トータルバイ）テーブルを更新するために、供給業者番号がＳｕｐｐｌｉｅｒ＿ｍｅｔａ＿ｄａｔａ（供給業者メタデータ）から取得され、Ｔｏｔａｌ＿Ｂｕｙ＿Ｍａｓｔｅｒ＿Ｎａｍｅ（トータルバイマスタ名）およびＴｏｔａｌ＿ＨＰ＿Ｐａｉｄ＿ｄｏｌｌａｒｓ（ＨＰ支払いドル総額）がトータルバイデータベースから取得される。
Ｍｏｎｔｈｌｙ＿Ｔｏｔａｌ＿Ｂｕｙ（月間トータルバイ）テーブルを更新するために、供給業者番号がＳｕｐｐｌｉｅｒ＿ｍｅｔａ＿ｄａｔａおよびＨＰＩ／ＳＰ＿Ｐａｉｄ＿Ｄｏｌｌａｒｓ（ＨＰＩ／ＳＰ支払いドル）から取得される。
【００３８】
財務サーバは、利用可能な異なる通貨の詳細およびドルに対する適用可能な交換レートを保持する。
ワークベンチ１００には、さまざまな通貨コードおよびユーザに利用可能な交換レートを有する必要がある。
この理由により、インタフェースは、ローカルに利用可能にされるデータを実施する。
【００３９】
財務サーバは、ＸＬＳファイルでデータを提供する。
このデータファイルは、プログラムでダウンロードされ、テキストファイルに変換され、ワークベンチ１００の適切なテーブルにロードされる。
このプロセスは毎月初日に実行される。
【００４０】
ワークベンチアプリケーションは、スケジューリングされたプロセス、例えば、システムにおいて月ごとに実行されて財務サーバからのデータファイルを処理するＣｒｏｎジョブ、を含む。
【００４１】
＃＃  ｗｂ＿ｃｒｎｃｙ＿ｃｏｄｅｓテーブルの影響を受けるフィールドには以下のものが含まれる。
・ＣＲＮＣＹ＿ＣＯＤＥ
・ＩＮ＿ＵＳＥ＿ＦＬＡＧ
・ＤＳＣＲＰＴＮ
・ＣＲＮＣＹ＿ＶＬＵＥ
・ＣＲＮＣＹ＿ＶＬＵＥ＿ＬＡＳＴ＿ＵＰＤＴＤ
・ＣＲＥＡＴＥＤ＿ＢＹ
・ＣＲＥＡＴＥＤ＿ＤＴ
【００４２】
［企業体ディレクトリオブジェクト］
ワークベンチ１００は、商品およびサービスの調達作業者連絡先名、調達作業者の企業連絡先（Business Contact）名、電話番号、実際の場所、組織等の情報を記憶する。
この情報は、調達業務で働く特定の企業従業員に関係付けられる。
特定の企業従業員に関係付けられた情報は、企業体ディレクトリサーバに記憶される。
従業員に関係して発生したあらゆる変更は、企業体ディレクトリサーバに直接更新される。
このような変更には、電話の変更、組織の再編、経営者名の変更、従業員の解雇等が含まれる。
【００４３】
企業体ディレクトリデータベースは、商品およびサービスの調達ワークベンチアプリケーションが実行されるシステムに複製される。
企業体ディレクトリは、データベース一式のダウンロードをファイルで提供する。
ワークベンチ１００は、２４時間ごとに実行されてダウンロードを行うようにスケジューリングされたプロセスを有する。
このように、複製された企業体ディレクトリは、最大２４時間のタイムラグで企業体ディレクトリと同期する。
さらに、解雇された従業員に関する情報は、或る期間の後、企業体ディレクトリから物理的に削除される場合があるが、複製された企業体ディレクトリには記憶される。
【００４４】
［文書ライブラリオブジェクト］
文書ライブラリオブジェクト１１８は、ワークベンチに関係した文書の記憶サイトである。
文書ライブラリオブジェクト１１８は、一特定の実施の形態では、ＦｉｌｅＮｅｔ社が提供する登録済み商品であるＦＩＬＥＮＥＴ（ファイルネット）をインストールすることによって実施される。
ＦＩＬＥＮＥＴは、ＭＩＣＲＯＳＯＦＴ技術に基づいており、ＭＳ−ＳＱＬサーバデータベースを有するＷＩＮＤＯＷＳ（登録商標）  ＮＴにインストールすることができる。
【００４５】
図３は、Ｃ／Ｓデータベース１０２のエンティティ関係図である。
このエンティティ関係図は、Ｃ／Ｓデータベース１０２に記憶されたエンティティ間の関係および外部オブジェクトから受信されてＣ／Ｓデータベースに記憶された付加情報を示している。
図４Ａ〜図４ＬＬは、Ｃ／Ｓデータベース１０２に含まれるテーブルを示している。
【００４６】
［商品およびサービスの調達ウェブポータルオブジェクト］
次に図１に戻って、商品およびサービスの調達ウェブポータルオブジェクト１０４は、以下で詳述するようなフロントエンドのグラフィカルユーザインタフェース（ＧＵＩ）を提供することによって、ワークベンチ１００へのアクセスをユーザに可能にする。
一特定の実施の形態では、商品およびサービスの調達ウェブポータルオブジェクト１０４は、企業のイントラネットネットワークに配置されたウェブサイトであり、認可されたユーザにアクセス可能なウェブサイトである。
別の実施の形態では、商品およびサービスの調達ウェブポータルオブジェクト１０４は、認可されたユーザがインターネットを介してアクセスすることができる。
【００４７】
図５は、例示のＧＵＩ５００である。
このＧＵＩ５００は、本発明に従って、調達ワークベンチ１００の一実施の形態と共に使用することができ、より具体的には、商品およびサービスの調達ウェブポータルオブジェクト１０４と共に使用することができる。
一特定の実施の形態では、ＧＵＩ５００は、例えばＭＩＣＲＯＳＯＦＴ  ＩＮＴＥＲＮＥＴ  ＥＸＰＬＯＲＥＲまたはＮＥＴＳＣＡＰＥ  ＮＡＶＩＧＡＴＯＲといったブラウザを使用して閲覧するためのマークアップ言語ベースの文書である。
しかしながら、このブラウザは、特定用途向けのクライアントプログラム、すなわち、クライアントコンピュータシステムで実行されてサーバまたは他のコンピュータシステムにアクセスするソフトウェアエグゼキュータブルによって取り替え可能であることが当業者には理解されよう。
【００４８】
ＧＵＩ５００は、ナビゲーションバー５０２、中央入力部５０４（破線）、および付加情報部５０６（破線）を含む。
ナビゲーションバー５０２を拡大したものを図６に示し、以下で詳細に説明する。
中央入力部５０４は、
（１）調達ワークベンチ、より具体的にはＧＵＩ５００に関する紹介テキストおよび／または説明テキストを提供する上部テキスト領域と、
（２）いくつかの検索入力フィールド５０８〜５１１およびアクティブ化可能なボタン５１２〜５１４を有する下部検索入力領域と
を含む。
付加情報部５０６は、例えば、現在の日付、システム特有の注意事項、チップ、および既知の課題といった別の情報をユーザに提供する領域を含む。
ＧＵＩ５００に示す項目の多くは、アクティブ化可能なリンクである。
例えば、テキスト項目は、ユーザがその項目をクリックすることによってアクティブ化可能なハイパーリンクであってもよい。
【００４９】
まず、中央入力部５０４を参照して、いくつかの検索入力フィールド５０８〜５１１は、供給業者名検索フィールド５０８、供給業者番号検索フィールド５０９、商品コード検索フィールド５１０、および契約番号検索フィールド５１１を含む。
供給業者名検索フィールド５０８は、供給業者名のすべてまたは一部を検索フィールド５０８に入力して、サブミットリンク５１２をアクティブにすることにより、特定の供給業者に関係した情報の検索をユーザに可能にする。
サブミットリンク５１２は、例えばアクティブ化可能なハイパーリンクボタンである。
フィールド５０８〜５１１の１つまたは２つ以上のエントリをクリアするには、ユーザは、リセットリンク５１３をアクティブにし、それによって、フィールドの任意の情報をクリアさせる。
これによって、ユーザは、検索基準を入力することができる。
供給業者名の検索エントリ、供給業者番号の検索エントリ、商品コードの検索エントリ、および／または契約番号の検索エントリ、ならびに、サブミットリンク５１２のアクティブ化に応答して、ワークベンチ１００は、一致する供給業者名、供給業者番号、商品コード、および／または契約番号を有するエントリを求めて、Ｃ／Ｓデータベース１０２においてエントリを検索する。
【００５０】
一致するエントリが見つかると、ワークベンチ１００は、図５２の検索結果スクリーン５２００の生成および表示を行い、それによって、ユーザは、検索実行結果から特定の供給業者を選択することができる。
図５２に示すように、一致するエントリのリスト５２０２がユーザに表示され、これによって、ユーザは、そのリストのエントリの１つを選択することもできるし、ＧＵＩ５００に戻り、検索部５２０４を使用して追加検索の変更または開始を行うこともできる。
一致するエントリが見つからない場合には、検索結果スクリーン５２００は、リスト５２０２にエントリを含まず、ユーザは、検索部５２０４を使用して、改訂した検索を開始することができる。
【００５１】
［プロファイルタブ］
図５２のスクリーン５２００の一致するエントリが、ユーザによってアクティブにされると、以下で説明するように、図７のプロファイルスクリーン７００がユーザに表示される。
【００５２】
プロファイルスクリーン７００は、Ｃ／Ｓデータベース１０２に記憶されたすべての基本供給業者情報を表示する。
ヘッダ部７０２は、供給業者名７０４、供給業者番号７０６、供給業者ステータス７０８、およびドロップダウン部門／支店フィールド７１０を示す。
ユーザは、ドロップダウン部門／支店フィールド７１０を操作して、レビュー／更新のために、供給業者の特定の部門または支店を選択する。
タブ部７１２は、供給業者に関係した付加情報、すなわち、プロファイルタブ７１４、契約タブ７１５、入札タブ７１６、リスクタブ７１７、保険タブ７１８、およびＴＱＲＤＣＥタブ７１９へのアクセスを可能にする。
各タブ７１４〜７１９は、特定の供給業者に関係した情報を提供する別のスクリーンへのアクセスを可能にするアクティブ化可能なリンクである。
【００５３】
ボタン部７２０は、供給業者に関係した付加機能へのアクセスを可能にする一連のボタン７２１〜７２５、すなわち、印刷フォーマットボタン７２１、プロファイル更新ボタン７２２、プロファイル文書アクセスボタン７２３、プロファイル文書追加ボタン７２４、追加プロファイル情報ボタン７２５を含む。
プロファイルスクリーン７００の残りの部分は、図示するようないくつかのフィールドに基本供給業者情報を提供する。
【００５４】
印刷フォーマットボタン７２１をアクティブにすることによって、プロファイルスクリーン７００をプリンタの扱いやすいフォーマットにフォーマットしたもの（例えば、カプセルビュー）が生成されて表示される。
スクリーン上の情報のカプセルビューは、多くの図形要素を省略し、適切なデータのみを含む。
【００５５】
プロファイル更新ボタン７２２をアクティブにすることによって、図８に示すようなプロファイル更新スクリーン８００が生成されて表示され、これによって、ユーザは、供給業者プロファイルに関係した情報を変更することができる。
情報を変更した後、ユーザは、サブミットリンク８０２をアクティブにして、Ｃ／Ｓデータベース１０２に情報の入力を行う。
あるいは、ユーザは、クローズウィンドウリンク８０４をアクティブにして、スクリーン８００をクローズし、プロファイルスクリーン７００に戻ることもできる。
【００５６】
プロファイル文書アクセスボタン７２３をアクティブにすることによって、図９に示すようなプロファイル文書アクセススクリーン９００が生成されて表示され、それによって、ユーザは、文書ライブラリ１１８から供給業者に関係した文書にアクセスすることができる。
プロファイル文書アクセススクリーン９００は、供給業者名を表示する供給業者名フィールド９０２と、検索対象の特定の文書タイプを選択する文書タイプリスト９０４と、検索対象の特定の文書フォーマットを指定する文書フォーマットボタン９０６と、検索対象の特定の位置を指定する文書位置フィールド９０８と、検索対象の特定の文書言語を指定する文書言語リスト９１０と、検索対象の特定の文書所有者を指定する文書所有者フィールド９１２と、検索対象の文書所有者の特定の電話を指定する所有者電話フィールド９１４とを含む。
さらに、文書位置フィールド９０８および文書所有者フィールド９１２は、参照スクリーン（図示せず）にアクセスすることによって情報の入力を可能にする対応する参照リンク９１６、９１８を含む。
【００５７】
ユーザが所望の検索パラメータを記入した後、ユーザは、サブミットリンク９２０をアクティブにし、ワークベンチ１００は、文書ライブラリ１１８の検索を実行し、閲覧用に、一致する文書および／または文書リファレンスをリスト（図示せず）でユーザに返す。
ユーザがクローズウィンドウリンク９２２をアクティブにすることによって、スクリーン９００はクローズし、ユーザはプロファイルスクリーン７００に戻る。
【００５８】
プロファイル文書追加ボタン７２４をアクティブにすることによって、図１０に示すようなプロファイル文書追加スクリーン１０００が生成されて表示され、それによって、ユーザは、プロファイル文書情報を文書ライブラリ１１８に追加することができる。
プロファイル文書追加スクリーン１０００は、プロファイル文書アクセススクリーン９００に対応する入力スクリーンであり、フィールドおよびリンク１００２〜１０１８は、フィールドおよびリンク９０２〜９１８と同様に動作する。
ユーザがプロファイル文書パラメータを記入した後、ユーザは、サブミットリンク１０２０をアクティブにし、ワークベンチ１００は、プロファイル文書情報を文書ライブラリ１１８に挿入し、ユーザをプロファイルスクリーン７００に戻す。
ユーザがクローズウィンドウリンク１０２２をアクティブにすることによって、スクリーン１０００はクローズし、ユーザはプロファイルスクリーン７００に戻る。
【００５９】
追加プロファイル情報ボタン７２５をアクティブにすることによって、図１１に示すような追加プロファイル情報スクリーン１１００が生成されて表示され、それによって、ユーザは、供給業者に関係した付加プロファイル情報を閲覧することができる。
印刷フォーマットボタン１１０２は、スクリーン７００について上述したようにプリンタの扱いやすいフォーマットでプロファイルスクリーン１１００をフォーマットしたものを生成しかつ表示する。
プロファイル文書アクセスボタン１１０４は、スクリーン７００のプロファイル文書アクセスボタン７２３と同様に動作する。
一方、プロファイル文書アクセススクリーン９００は、追加プロファイル情報スクリーン１１００に表示された供給業者からの適切な供給業者に関係した情報で自動的に記入される。
ユーザがクローズウィンドウリンク１１０６をアクティブにすることによって、スクリーン１１００はクローズし、ユーザはプロファイルスクリーン７００に戻る。
【００６０】
［契約タブ］
次に図７を参照して、ユーザが契約タブ７１５をアクティブにすることによって、ワークベンチ１００は、図１２に示すような契約リストスクリーン１２００を表示し、それによって、ユーザは、特定の供給業者に関係した契約のリストを閲覧することができる。
印刷フォーマットボタン１２０２は、スクリーン７００について上述したように、プリンタの扱いやすいフォーマットで契約リストスクリーン１２００をフォーマットしたものを生成しかつ表示する。
ユーザは、契約追加リンク１２０４をアクティブにして、特定の供給業者の新たな契約番号をワークベンチ１００から取得することができる。
契約追加リンク１２０４の機能は以下で詳述する。
契約リストの追加ページは、当該技術分野で既知のように、ナビゲーション制御１２０６（破線）の使用を通じてナビゲーションすることができる。
【００６１】
契約リスト部１２０８は、供給業者に関係した契約のテーブルフォーマットによるリストを含む。
このリストの列には、契約番号列１２１０、契約ステータス列１２１１、満了日列１２１２、連絡先の地理的範囲列１２１３、および部門／支店列１２１４が含まれる。
契約番号列１２１０の各エントリは、図１３の契約概要スクリーン１３００に関連して以下で説明するように特定の契約の概要レベル情報の表示を行うアクティブ化可能なリンクを含む。
【００６２】
契約概要スクリーン１３００は、特定の供給業者の契約に関係した概要情報を含む。
ボタン部１３０２は、供給業者の契約に関係した付加機能へのアクセスを可能にする一連のボタン１３０４〜１３０８を含む。
これらのボタン１３０４〜１３０８は、契約更新ボタン１３０４、契約文書アクセスボタン１３０５、契約文書追加ボタン１３０６、追加契約情報ボタン１３０７、および契約削除ボタン１３０８である。
印刷フォーマットボタン１３０９は、スクリーン７００について上述したように、プリンタの扱いやすいフォーマットで契約概要スクリーン１３００をフォーマットしたものを生成しかつ表示する。
契約概要情報の追加ページは、当該技術分野で既知のように、ナビゲーション制御１３１０（破線）の使用を通じてナビゲーションすることができる。
【００６３】
概要スクリーン１３００の残りの部分は概要契約情報を含む。
概要契約情報には、契約タイプ、契約価値、契約の商品コード、発効日、満了日、商品およびサービスの調達管理組織、契約の地理的位置、契約ステータス、企業連絡先および電話、商品およびサービスの調達連絡先および電話、ならびにあらゆる契約配信可能なもの（contract deliverable）が含まれる。
【００６４】
契約概要スクリーン１３００の契約更新ボタン１３０４をアクティブにすることによって、図１４に示すような契約更新スクリーン１４００が生成されて表示され、これによって、ユーザは、供給業者の契約に関係した情報を変更することができる。
情報を変更した後、ユーザは、サブミットリンク１４０２をアクティブにして、Ｃ／Ｓデータベース１０２に情報の入力を行う。
あるいは、ユーザは、クローズウィンドウリンク１４０４をアクティブにして、スクリーン１４００をクローズし、契約概要スクリーン１３００に戻ることもできる。
【００６５】
契約文書アクセスボタン１３０５をアクティブにすることによって、図１５に示すような契約文書アクセススクリーン１５００が生成されて表示され、それによって、ユーザは、上記で詳述したプロファイル文書アクセススクリーン９００と同様に、文書ライブラリ１１８から供給業者に関係した契約文書にアクセスすることができる。
契約文書アクセススクリーン１５００は、供給業者名を表示する供給業者名フィールド１５０２と、契約番号を表示する契約番号フィールド１５０４と、検索対象の特定の文書タイプを選択する文書タイプリスト１５０６と、検索対象の特定の文書フォーマットを指定する文書フォーマットボタン１５０８と、検索対象の特定の位置を指定する文書位置フィールド１５１０と、検索対象の特定の文書言語を指定する文書言語リスト１５１２と、検索対象の特定の文書所有者を指定する文書所有者フィールド１５１４と、検索対象の文書所有者の特定の電話を指定する所有者電話フィールド１５１６とを含む。
さらに、文書位置フィールド１５１０および文書所有者フィールド１５１４は、参照スクリーン（図示せず）にアクセスすることによって情報の入力を可能にする対応する参照リンク１５１８、１５２０を含む。
【００６６】
ユーザが所望の検索パラメータを記入した後、ユーザは、サブミットリンク１５２２をアクティブにし、ワークベンチ１００は、文書ライブラリ１１８の検索を実行し、閲覧用に、一致する文書および／または文書リファレンスをリスト（図示せず）でユーザに返す。
ユーザがクローズウィンドウリンク１５２４をアクティブにすることによって、スクリーン１５００はクローズし、ユーザは契約概要スクリーン１３００に戻る。
【００６７】
契約文書追加ボタン１３０６をアクティブにすることによって、図１６に示すような契約文書追加スクリーン１６００が生成されて表示され、それによって、ユーザは、供給業者に関係した契約文書を文書ライブラリ１１８に追加することができる。
契約文書追加機能は、図１２のスクリーン１２００の契約追加リンク１２０４からもアクセス可能であり、図１０のプロファイル追加スクリーン１０００と同様である。
【００６８】
ユーザが契約文書パラメータを記入した後、ユーザは、サブミットリンク１６０２をアクティブにし、ワークベンチ１００は、契約文書情報を文書ライブラリ１１８に挿入し、ユーザを契約概要スクリーン１３００に戻す。
ユーザがクローズウィンドウリンク１６０４をアクティブにすることによって、スクリーン１６００はクローズし、ユーザは契約概要スクリーン１３００に戻る。
【００６９】
追加契約情報ボタン１３０７をアクティブにすることによって、図１７に示すような追加契約情報スクリーン１７００が生成されて表示され、それによって、ユーザは、供給業者に関係した付加契約情報を閲覧することができる。
ボタン部１７０２は、契約に関係した付加機能へのアクセスを可能にする一連のボタン１７０４〜１７０７を含む。
これらのボタン１７０４〜１７０７は、契約更新ボタン１７０４、契約文書アクセスボタン１７０５、契約文書追加ボタン１７０６、および契約削除ボタン１７０７である。
これらのボタン１７０４〜１７０６のそれぞれは、スクリーン１３００の対応するボタン１３０４〜１３０６について上述したものである。
契約削除ボタン１７０７は、スクリーン１３００の以下で説明する契約削除ボタン１３０８と同じである。
【００７０】
契約削除ボタン１３０８（または契約削除ボタン１７０７）をアクティブにすることによって、図１８に示すような契約削除スクリーン１８００が生成されて表示され、それによって、ユーザは、認可されたユーザによる、Ｃ／Ｓデータベース１０２からの契約情報の削除を要求する電子メールを送信することができる。
契約削除スクリーン１８００は、ユーザが使用する電子メールプログラムに応じて異なる場合があるが、メッセージ内容の宛先、題目、および本体は同じであろう。
ユーザによる完了後、ユーザは、当業者に既知のメカニズムを使用して、電子メールメッセージを認可されたユーザ、すなわちシステムアドミニストレータに送信する。
次いで、ユーザは、契約概要スクリーン１３００に戻される。
【００７１】
［入札タブ］
次に図７に戻って、ユーザが入札タブ７１６をアクティブにすることによって、ワークベンチ１００は、図１９に示すような入札リストスクリーン１９００を表示し、それによって、ユーザは、特定の供給業者に関係した入札リストを閲覧することができる。
印刷フォーマットボタン１９０２は、スクリーン７００について上述したようにプリンタの扱いやすいフォーマットで入札リストスクリーン１９００をフォーマットしたものを生成しかつ表示する。
ユーザは、入札追加リンク１９０４をアクティブにして、特定の供給業者の新たな入札をワークベンチ１００から追加することができる。
入札追加リンク１９０４の機能は、図２０の入札追加スクリーン２０００に関連して以下で詳述する。
契約リストの追加ページは、当該技術分野で既知のように、ナビゲーション制御１９０６（破線）の使用を通じてナビゲーションすることができる。
【００７２】
入札リスト部１９０８は、供給業者に関係した入札のテーブルフォーマットによるリストを含む。
このリストの列には、入札番号列１９１０、入札タイプ列１９１１、入札値列１９１２、入札の地理的範囲列１９１３、および部門／支店列１９１４が含まれる。
入札番号列１９１０の各エントリは、図２１の入札概要スクリーン２１００に関連して以下で説明するように特定の入札の概要レベル情報の表示を行うアクティブ化可能なリンクを含む。
【００７３】
図２０の入札追加スクリーン２０００は、供給業者の入札に関係した情報を取り込む入力フィールドを含む。
この情報は、例えば、入札タイプ、契約番号、商品コード、入札値、入札開始日、入力満了日、入札応答日、商品およびサービスの調達管理組織、入札の地理的範囲等である。
さらに、ワークベンチ１００は、供給業者の入札連絡先情報フィールドのデフォルト値を記入する。
ユーザは、入札に特有のデフォルト値を変更することができる。
入札情報をサブミットするか、または、Ｃ／Ｓデータベース１０２に情報をサブミットすることなく入札情報フィールドをクリアするために、サブミットボタンおよびクローズウィンドウボタン（図示せず）を上述したようにアクティブにすることができる。
次いで、ユーザは、入札リストスクリーン１９００に戻される。
【００７４】
入札概要スクリーン２１００は、特定の供給業者の入札に関係した概要情報を含む。
ボタン部２１０２は、供給業者の入札に関係した付加機能へのアクセスを可能にする一連のボタン２１０４〜２１０８を含む。
これらのボタン２１０４〜２１０８は、入札更新ボタン２１０４、入札文書アクセスボタン２１０５、入札文書追加ボタン２１０６、追加入札情報ボタン２１０７、および入札削除ボタン２１０８である。
印刷フォーマットボタン２１０９は、スクリーン７００について上述したようにプリンタの扱いやすいフォーマットで入札概要スクリーン２１００をフォーマットしたものを生成しかつ表示する。
入札概要情報の追加ページは、当該技術分野で既知のように、ナビゲーション制御２１１０（破線）の使用を通じてナビゲーションすることができる。
【００７５】
概要スクリーン２１００の残りの部分は概要入札情報を含む。
概要入札情報には、入札タイプ、入札値、入札の商品コード、入札書式、満了日、商品およびサービスの調達管理組織、入札の地理的位置、企業連絡先および電話、商品およびサービスの調達連絡先および電話、ならびに入札説明が含まれる。
【００７６】
入札概要スクリーン２１００の入札更新ボタン２１０４をアクティブにすることによって、図２２に示すような入札更新スクリーン２２００が生成されて表示され、これによって、ユーザは、供給業者の入札に関係した情報を変更することができる。
情報を変更した後、ユーザは、サブミットリンク２２０２をアクティブにして、Ｃ／Ｓデータベース１０２に情報の入力を行う。
あるいは、ユーザは、クローズウィンドウリンク２２０４をアクティブにして、スクリーン２２００をクローズし、入札概要スクリーン２１００に戻ることもできる。
【００７７】
入札文書アクセスボタン２１０５をアクティブにすることによって、図２３に示すような入札文書アクセススクリーン２３００が生成されて表示され、それによって、ユーザは、上記で詳述したプロファイル文書アクセススクリーン９００と同様に、文書ライブラリ１１８から供給業者に関係した入札文書にアクセスすることができる。
入札文書アクセススクリーン２３００は、供給業者名を表示する供給業者名フィールド２３０２と、入札番号を表示する入札番号フィールド２３０４と、検索対象の特定の文書タイプを選択する文書タイプリスト２３０６と、検索対象の特定の文書フォーマットを指定する文書フォーマットボタン２３０８と、検索対象の特定の位置を指定する文書位置フィールド２３１０と、検索対象の特定の文書言語を指定する文書言語リスト２３１２と、検索対象の特定の文書所有者を指定する文書所有者フィールド２３１４と、検索対象の文書所有者の特定の電話を指定する所有者電話フィールド２３１６とを含む。
さらに、文書位置フィールド２３１０および文書所有者フィールド２３１４は、参照スクリーン（図示せず）にアクセスすることによって情報の入力を可能にする対応する参照リンク２３１８、２３２０を含む。
【００７８】
ユーザが全入札文書リンク２３２２をアクティブにすることによって、図２４に示すような全入札文書スクリーン２４００が生成されて表示され、それによって、ユーザは、現在の入札に関連した全入札文書にアクセスすることができる。
ユーザが全供給業者文書リンク２３２４をアクティブにすることによって、全入札文書スクリーン２４００と同様の全供給業者文書スクリーン（図示せず）が生成されて表示され、それによって、ユーザは、現在の供給業者に関連した全供給業者文書にアクセスすることができる。
【００７９】
ユーザが所望の検索パラメータを記入した後、ユーザは、サブミットリンク２３２６をアクティブにし、ワークベンチ１００は、文書ライブラリ１１８の検索を実行し、閲覧用に、一致する文書および／または文書リファレンスをリスト（図示せず）でユーザに返す。
ユーザがクローズウィンドウリンク２３２８をアクティブにすることによって、スクリーン２３００はクローズし、ユーザは入札概要スクリーン２１００に戻る。
【００８０】
入札文書追加ボタン２１０６をアクティブにすることによって、図２５に示すような入札文書追加スクリーン２５００が生成されて表示され、それによって、ユーザは、供給業者に関係した入札文書を文書ライブラリ１１８に追加することができる。
入札文書追加機能は、図１９のスクリーン１９００の入札追加リンク１９０４からもアクセス可能であり、図１０のプロファイル追加スクリーン１０００と同様である。
【００８１】
ユーザが入札文書パラメータを記入した後、ユーザは、サブミットリンク２５２６をアクティブにし、ワークベンチ１００は、入札文書情報を文書ライブラリ１１８に挿入し、ユーザを入札概要スクリーン２１００に戻す。
ユーザがクローズウィンドウリンク２５２８をアクティブにすることによって、スクリーン２５００はクローズし、ユーザは入札概要スクリーン２１００に戻る。
【００８２】
追加入札情報ボタン２１０７をアクティブにすることによって、図２６に示すような追加入札情報スクリーン２６００が生成されて表示され、それによって、ユーザは、供給業者に関係した付加入札情報を閲覧することができる。
ボタン部２６０２は、入札に関係した付加機能へのアクセスを可能にする一連のボタン２６０４〜２６０７を含む。
これらのボタン２６０４〜２６０７は、入札更新ボタン２６０４、入札文書アクセスボタン２６０５、入札文書追加ボタン２６０６、および入札削除ボタン２６０７である。
これらのボタン２６０４〜２６０６のそれぞれは、スクリーン２１００の対応するボタン２１０４〜２１０６について上述したものである。
入札削除ボタン２６０７は、スクリーン２１００の以下で説明する入札削除ボタン２１０８と同じである。
【００８３】
入札削除ボタン２１０８（または入札削除ボタン２６０７）をアクティブにすることによって、図２７に示すような入札削除スクリーン２７００が生成されて表示され、それによって、ユーザは、認可されたユーザによる、Ｃ／Ｓデータベース１０２からの入札情報の削除を要求する電子メールを送信することができる。
入札削除スクリーン２７００は、ユーザが使用する電子メールプログラムに応じて異なる場合があるが、メッセージ内容の宛先、題目、および本体は同じであろう。
ユーザによる完了後、ユーザは、当業者に既知のメカニズムを使用して、電子メールメッセージを認可されたユーザ、すなわちシステムアドミニストレータに送信する。
次いで、ユーザは、入札概要スクリーン２１００に戻される。
【００８４】
［リスクタブ］
次に図７に戻って、ユーザがリスクタブ７１７をアクティブにすることによって、ワークベンチ１００は、図２８に示すようなリスクリストスクリーン２８００を表示し、それによって、ユーザは、特定の供給業者に関係したリスクエントリのリストを閲覧することができる。
リスクリストスクリーン２８００は、図１９について上述した入札リストスクリーン１９００とレイアウトおよび機能において同様である。
さらに、リスク概要スクリーン２９００（図２９）、リスク更新スクリーン３０００（図３０）、リスクアクセススクリーン３１００（図３１）、全リスク文書スクリーン３２００（図３２）、およびリスク削除スクリーン３４００（図３４）は、すべて、入札に関係した対応するスクリーン２１００、２２００、２３００、２４００、および２７００と機能およびレイアウトにおいてほぼ同様である。
さらに詳述する必要はないと考えられ、文脈において、スクリーン２８００、２９００、３０００、３１００、３２００、および３４００は、当業者に理解されると考えられる。
【００８５】
ユーザがスクリーン２８００のリスク追加ボタン２８０２をアクティブにすることによって、図３３のリスクレコード追加スクリーン３３００が生成されて表示され、それによって、ユーザは、特定の供給業者に関係したリスクレコードをＣ／Ｓデータベース１０２に入力することができる。
リスクレコード追加スクリーン３３００は、リスク評価日フィールド３３０２、次のリスク評価日フィールド３３０４、リスクスコアフィールド３３０６、連絡先情報部３３０８、およびリスク注釈フィールド３３１０を含む。
【００８６】
［保険タブ］
次に図７に戻って、ユーザが保険タブ７１８をアクティブにすることによって、ワークベンチ１００は、図３５に示すような保険概要スクリーン３５００を表示し、それによって、ユーザは、特定の供給業者に関係した保険情報の概要を閲覧することができる。
保険概要スクリーン３５００は、図２１について上述した入札概要スクリーン２１００とレイアウトおよび機能において同様である。
さらに、保険アクセススクリーン３６００（図３６）、全保険文書スクリーン３７００（図３７）、保険文書追加スクリーン３８００（図３８）、および追加保険情報スクリーン３９００（図３９）は、すべて、入札に関係した対応するスクリーン２３００、２４００、２５００、および２６００と機能およびレイアウトにおいてほぼ同様である。
さらに詳述する必要はないと考えられ、文脈において、スクリーン３５００、３６００、３７００、３８００、および３９００は、当業者に理解されると考えられる。
【００８７】
［ＴＱＲＤＣＥタブ］
次に図７に戻って、ユーザがＴＱＲＤＣＥタブ７１９をアクティブにすることによって、ワークベンチ１００は、図４０に示すようなＴＱＲＤＣＥリストスクリーン４０００を表示し、それによって、ユーザは、特定の供給業者に関係したＴＱＲＤＣＥのエントリのリストを閲覧することができる。
ＴＱＲＤＣＥリストスクリーン４０００は、図１９について上述した入札リストスクリーン１９００とレイアウトおよび機能において同様である。
さらに、ＴＱＲＤＣＥ概要スクリーン４１００（図４１）、ＴＱＲＤＣＥ更新スクリーン４２００（図４２）、ＴＱＲＤＣＥアクセススクリーン４３００（図４３）、全ＴＱＲＤＣＥ文書スクリーン４４００（図４４）、ＴＱＲＤＣＥ文書追加スクリーン４５００（図４５）、追加ＴＱＲＤＣＥ情報スクリーン４６００（図４６）、およびＴＱＲＤＣＥ削除スクリーン４７００（図４７）は、すべて、入札に関係した対応するスクリーン２１００、２２００、２３００、２４００、２５００、２６００、および２７００と機能およびレイアウトにおいてほぼ同様である。
さらに詳述する必要はないと考えられ、文脈において、スクリーン４１００、４２００、４３００、４４００、４５００、４６００、および４７００は、当業者に理解されると考えられる。
【００８８】
次に図５に戻って、供給業者番号検索フィールド５０９によって、ユーザは、供給業者番号、すなわち識別子のすべてまたは一部を入力してサブミットリンク５１２をアクティブにすることにより、特定の供給業者に関係した情報を検索することができる。
ユーザによる供給業者番号検索入力およびサブミットリンク５１２のアクティブ化に応答して、ワークベンチ１００は、一致する名を有する供給業者エントリを求めて、Ｃ／Ｓデータベース１０２でエントリを検索する。
一致するエントリが見つかると、プロファイルスクリーン７００が、上述したようにユーザに再び表示される。
２つ以上の一致するエントリが見つかると、一致するエントリのリストがユーザに表示され、ユーザは、リストのエントリの１つを選択するか、または、ＧＵＩ５００に戻って検索を変更することができる。
一致するエントリが見つからない場合には、ユーザに表示されたメッセージによって、一致するものが存在しないことが詳述され、ユーザはＧＵＩ５００に戻される。
【００８９】
商品コード検索フィールド５１０によって、ユーザは、商品コードのすべてまたは一部を入力してサブミットリンク５１２をアクティブにすることにより、商品コードに基づいて供給業者を検索することができる。
ユーザによる商品コード検索入力およびサブミットリンク５１２のアクティブ化に応答して、ワークベンチ１００は、一致する商品コードを有する供給業者エントリを求めて、Ｃ／Ｓデータベース１０２でエントリを検索する。
一致するエントリが見つかると、プロファイルスクリーン７００が、上述したようにユーザに再び表示される。
２つ以上の一致するエントリが見つかると、一致するエントリのリストがユーザに表示され、ユーザは、リストのエントリの１つを選択するか、または、ＧＵＩ５００に戻って検索を変更することができる。
一致するエントリが見つからない場合には、ユーザに表示されたメッセージによって、一致するものが存在しないことが詳述され、ユーザはＧＵＩ５００に戻される。
さらに、ユーザは、商品コード参照リンク５１４をアクティブにし、商品コード参照スクリーン４８００を使用して商品コード検索フィールド５１０に入力する商品コードを決定することができる。
【００９０】
商品コード参照スクリーン４８００は、セグメントドロップダウンメニュー４８０２、ファミリードロップダウンメニュー４８０３、クラスドロップダウンメニュー４８０４、商品ドロップダウンメニュー４８０５、およびＢＴＩドロップダウンメニュー４８０６を含む。
ユーザは、各ドロップダウンメニュー４８０２〜４８０５を順次アクティブにし、それによって、次に続くドロップダウンメニュー４８０３〜４８０６の内容のポピュレートが行われる。
ユーザがＢＴＩドロップダウンメニュー４８０６をアクティブにすることによって、適切に形成された商品コード値が、ワークベンチ１００によって商品コードフィールド４８０８にポピュレートされる。
次いで、当業者には既知のように、商品コード値をコピーして、例えばスクリーン５００の商品コードフィールド５１０といった他のフィールドに貼付することができる。
【００９１】
契約番号検索フィールド５１１によって、ユーザは、契約番号のすべてまたは一部を入力してサブミットリンク５１２をアクティブにすることにより、契約番号に基づいて供給業者を検索することができる。
ユーザによる契約番号検索入力およびサブミットリンク５１２のアクティブ化に応答して、ワークベンチ１００は、一致する契約番号を有する供給業者エントリを求めて、Ｃ／Ｓデータベース１０２でエントリを検索する。
一致するエントリが見つかると、プロファイルスクリーン７００が、上述したようにユーザに再び表示される。
２つ以上の一致するエントリが見つかると、一致するエントリのリストがユーザに表示され、ユーザは、リストのエントリの１つを選択するか、または、ＧＵＩ５００に戻って検索を変更することができる。
一致するエントリが見つからない場合には、ユーザに表示されたメッセージによって、一致するものが存在しないことが詳述され、ユーザはＧＵＩ５００に戻される。
【００９２】
図６を参照して、ナビゲーションバー５０２は、ワークベンチ１００の異なる機能エリア間をナビゲーションすることをユーザに可能にする複数のアクティブ化可能なリンクを含む。
商品およびサービスの調達ホームリンク６０２は、ユーザによってアクティブにされると、商品およびサービスの調達ウェブポータルオブジェクト１０４に、間接的／サービス調達システム用のトップレベルＧＵＩ（図示せず）を表示させる。
すなわち、当業者に既知のように、そのリンクのアクティブにすることよって、ユーザはそのリンクにより識別された宛先に案内される。
同様に、ｅ調達（eProcurement）ワークベンチホームリンク６０４をアクティブにすることによって、ユーザはＧＵＩ５００に戻される。
すなわち、ウェブポータルオブジェクト１０４は、ユーザのコンピュータシステム表示装置６２１２（図６２を参照して以下で説明する）にＧＵＩ５００の表示を行う。
ユーザ報告リンク６０６は、図４９のユーザ報告選択スクリーン４９００に示すようなユーザ報告機能へのアクセスを可能にする。
【００９３】
ユーザ報告選択スクリーン４９００は、ユーザが閲覧したい報告のタイプを選択するユーザ報告タイプ選択ドロップダウンメニュー４９０２を含む。
例えば、ユーザがこのドロップダウンメニュー４９０２を使用して「供給業者一般情報」報告メニュー項目を選択した後、ワークベンチ１００は、図５０の供給業者一般情報報告指定スクリーン５０００の生成を行う。
この供給業者一般情報報告指定スクリーン５０００は、供給業者商品コードフィールド５００１と、供給業者管理組織フィールド５００２と、商品およびサービスの調達供給業者連絡先フィールド５００３と、供給業者ステータスドロップダウンメニュー５００４と、クイックカード可能無線（quick card capable radio）フィールド５００５と、階層コードドロップダウンメニュー５００６と、生成された報告の情報のソートフィールドおよび順序を指定する第１のソート指定部５００７と、第２のソート指定部５００８と、第３のソート指定部５００９と、報告出力フォーマットを指定する報告フォーマットドロップダウンメニュー５０１０とを含む。
報告出力フォーマットは、例えば、テキスト、ポータブル文書フォーマット、または他の報告フォーマットである。
所望の報告フォーマットおよび情報を指定した後、ユーザは、サブミットリンク５０１２、すなわちサブミットボタンをアクティブにし、これによって、図５１の一般供給業者情報報告スクリーン５１００の生成および表示が行われる。
【００９４】
ナビゲーションバー５０２のワークベンチツール部６０８は、調達ワークベンチ１００に統合された機能へのアクセスを可能にするいくつかのリンク６１０〜６１５を含む。
商品コード参照リンク６１０は、製品およびサービスを分類する商品コード参照機能へのアクセスを可能にする。
商品コード参照スクリーン８００は上述したものである。
【００９５】
ＴＱＲＤＣＥリンク６１１は、供給業者の電子技術、品質、応答性、配信、コスト、および環境評価、ならびに供給業者を評価する方法論に関する情報へのアクセスを可能にする。
図５３のｅＴＱＲＤＣＥスクリーン５３００は、ｅＴＱＲＤＣＥリンク６１１をアクティブにすることによって表示される一例のスクリーンを示している。
【００９６】
値追跡システムリンク６１２は、調達プロセス節約戦略を含む値追跡機能へのアクセスを可能にする。
図５４の値追跡システムスクリーン５４００は、値追跡システムリンク６１２をアクティブにすることによって表示される一例のスクリーンを示している。
【００９７】
ＳＲＳリンク６１３は、供給業者参照サーバ機能へのアクセスを可能にする。
図５５のＳＲＳスクリーン５５００は、ＳＲＳリンク６１３をアクティブにすることによって表示される一例のスクリーンを示している。
【００９８】
供給業者階層化（supplier tiering）リンク６１４は、供給業者階層化ガイドラインへのアクセスおよび商品チームおよび商品地理のサポートを可能にする。
図５６の供給業者階層化スクリーン５６００は、供給業者階層化リンク６１４をアクティブにすることによって表示される一例のスクリーンを示している。
【００９９】
トータルバイリンク６１５は、供給業者に関する選択された財務データへのアクセスを可能にする。
図５７のトータルバイスクリーン５７００は、トータルバイリンク６１５をアクティブにすることによって表示される一例のスクリーンを示している。
【０１００】
ワークベンチチームリンク６１６は、ワークベンチ１００の作成者に関係した情報へのアクセスを可能にする。
図５８のワークベンチチームスクリーン５８００は、ワークベンチチームリンク６１６をアクティブにすることによって表示される一例のスクリーンを示している。
フィードバックリンク６１８は、ワークベンチ１００に関するフィードバックを適切な作業者へ提供するメカニズムへのアクセスを可能にする。
図５９のフィードバックスクリーン５９００は、フィードバックリンク６１８をアクティブにすることによって表示される一例のスクリーンを示している。
ＦＡＱ（よくある質問）リンク６２０は、ワークベンチ１００に関して多く要求される情報を編集したものへのアクセスを可能にする。
【０１０１】
［中央アドミニストレータオブジェクト］
次に図１に戻って、中央アドミニストレータオブジェクト１０８は、調達ワークベンチ１００の維持および報告機能へのアクセスを運営管理ユーザに可能にする。
【０１０２】
アドミニストレータ報告が利用可能であり、これは、以下のタイプおよび特徴について作成されるべきである。
・プルダウンテーブル報告−履歴コード／説明および現在のコード／説明の双方を含む各プルダウンテーブル用の報告がある。
・監査報告−追加、更新、削除、日付変更、変更したもの、および供給業者ごとにそれを変更した者によって単一の供給業者の情報変更をログ記録できる監査報告。
供給業者の報告データは、以後１２箇月の間保持される。
・契約満了日報告−契約ステータスが満了に等しい場合には、供給業者／契約管理アドミニストレータに対して報告が生成される。
この報告は、月１回行うことができる報告である。
【０１０３】
保険担保ステータスが、担保満了日前３０日間、アクティブに等しい場合、保険担保満了日報告がワークベンチアドミニストレータに対して生成される。
【０１０４】
担保満了日には、報告がワークベンチアドミニストレータに対して生成される。
【０１０５】
契約がアクティブのステータスを有する場合、ワークベンチアドミニストレータ報告が以下の条件の下で１回限り生成される。
・契約ステータスがアクティブに等しい場合；
・商品およびサービスの調達の現在の契約連絡先が管理者を変更した場合；
・現在の企業連絡先が管理者を変更した場合；
・商品およびサービスの調達の現在の契約連絡先が組織を変更した場合；
・現在の企業連絡先が組織を変更した場合；かつ
・商品およびサービスの調達の現在の契約連絡先が物理的な位置を変更した場合。
【０１０６】
企業署名日報告−企業署名日が発効日の後３０日を切ると、ワークベンチアドミニストレータに対する報告が生成される。
【０１０７】
最近１２箇月間のトータルバイのドル＝０であり、かつ、
・アクティブなステータスの契約が存在せず、かつ、
・アクティブなステータスの入札文書がない場合に、
供給業者ステータスは非アクティブに移行される。
【０１０８】
最近２４箇月のトータルバイのドル＝０であり、かつ、
・アクティブなステータスの契約が存在せず、かつ、
・アクティブなステータスの入札文書がない場合に、
ＳＲＳにおいてその供給業者の閉鎖を開始する報告がワークベンチアドミニストレータに対して生成される。
【０１０９】
供給業者情報がＳＲＳから閉鎖または削除として入力され、供給業者のワークベンチステータスが閉鎖／削除と等しくなくなった後、ワークベンチアドミニストレータに対するＳＲＳ調査報告が作成されて、アーカイブプロセスが開始されるか、または、供給業者が閉鎖された理由が調査される。
【０１１０】
商品コードが新しい商品コードソースファイルフィードから削除され、その商品コードが契約の供給業者用の我々のシステムまたは他の概要データに存在するようになった後、商品コード調査報告がワークベンチアドミニストレータに対して作成される。
【０１１１】
ワークベンチアドミニストレータがレコードを削除した後、レコード削除報告が文書ライブラリアドミニストレータおよび監査に対して生成され、文書とメタデータとの間の一貫性が維持され、監査履歴が提供される。
【０１１２】
供給業者名がＳＲＳにおいて変更された後、ＳＲＳにおける名前変更報告がワークベンチアドミニストレータに対して作成される。
【０１１３】
すべてのＴＱＲＤＣＥが層１または２の供給業者について満了すると、供給業者層１または２の満了報告が、ＴＱＲＤＣＥアドミニストレータに対して生成され、あらゆる層１または２の供給業者がリストアップされる。
【０１１４】
ファイルにＴＱＲＤＣＥが存在せず、供給業者の階層コードが１または２に等しい場合には、（今日の日付がその供給業者の階層コード変更日＋３６６日に等しい場合）供給業者層１または２がファイルに存在しない報告がＴＱＲＤＣＥアドミニストレータに生成され、それら供給業者がリストアップされる。
【０１１５】
特定の層１または２の供給業者についてのすべてのリスク評価が満了する（アクティブなリスク評価が存在しない）と、供給業者層１または２の非アクティブリスク評価報告がワークベンチアドミニストレータに対して生成される。
【０１１６】
商品およびサービスの調達の現在の契約連絡先の従業員が、通知の送信後３０日で解雇された（もはやＥＤに存在しない）後、この従業員がまだ契約テーブルに存在すると、解雇された従業員が契約テーブルにまだリストアップされている報告が、ワークベンチアドミニストレータに対して生成される。
【０１１７】
現在の企業連絡先の従業員が、通知の送信後３０日で解雇された（もはやＥＤに存在しない）後、この従業員が契約テーブルにまだ存在すると、ワークベンチアドミニストレータに対する報告が生成される。
【０１１８】
図６０は、本発明による例示の実施の形態のハードウェアコンポーネント、および、さまざまなハードウェアコンポーネント間のデータの流れのハイレベル図である。
さらに、例示の情報更新レートも提供される。
【０１１９】
図６１は、本発明による例示の実施の形態の３層ビューのハイレベルブロック図である。
これら３つの層には、ワークベンチ１００のユーザへのアクセスおよび情報を提示する提示層６１０２と、ユーザインタフェースを提示し、ワークベンチに含まれるデータに対して処理を行うサービス層６１０４と、ワークベンチのデータへのアクセスを提供し、このデータを記憶するデータ層６１０６とが含まれる。
【０１２０】
提示層６１０２は、サービス層６１０４にアクセスするブラウザソフトウェアを有する例えばコンピュータシステムといったデスクトップクライアント６１０８を含む。
図６１に示すように、デスクトップクライアント６１０８は、例えばＨＴＴＰといった通信プロトコルを使用してサービス層６１０４と通信し、例えば、ＨＴＭＬ、ＸＭＬ、およびＸＳＬといった、ブラウザ表示用にフォーマットされた情報を受信する。
【０１２１】
サービス層６１０４は、例えばＡＰＡＣＨＥベースのウェブサーバといったウェブサーバ６１１０と、アプリケーションサーバ６１１２とを含む。
ウェブサーバ６１１０は、デスクトップクライアント６１０８からの要求に応答し、デスクトップクライアントの要求に応答するためにアプリケーションサーバ６１１２に情報を要求する。
アプリケーションサーバ６１１２は、ウェブサーバ６１１０からの要求に応答し、ウェブサーバに応答するためにデータ層６１０６に情報を要求し、また、情報をデータ層６１０６に提供する。
ウェブサーバ６１１０およびアプリケーションサーバ６１１２は、ＨＴＴＰおよびＨＴＴＰＳといった標準プロトコルを使用して通信する。
【０１２２】
データ層６１０６は、データベース６１１４、企業体ディレクトリデータストア６１１６、およびファイルネットデータストア６１１８を含む。
データ層６１０６のこれらデータストレージ設備のそれぞれは、サービス層６１０４へ提供された要求および情報ならびにサービス層６１０４から提供された要求および情報に応答する。
【０１２３】
図６２は、本発明の一実施の形態を実施できる、例えばコンピュータシステムといった例示のコンピュータまたはユーザデバイス６２００を示すブロック図である。
本発明は、現在利用可能なパーソナルコンピュータ、ミニメインフレーム、サーバ等と共に使用することができる。
【０１２４】
コンピュータシステム６２００は、情報を通信するバス６２０２または他の通信メカニズムと、情報を処理するバス６２０２に接続されたプロセッサ６２０４とを含む。
また、コンピュータシステム６２００は、ランダムアクセスメモリ（ＲＡＭ）または他のダイナミックストレージデバイス等のメインメモリ６２０６を含む。
このメインメモリ６２０６は、バス６２０２に接続され、トランザクションおよび相互作用データ、ならびにプロセッサ６２０４が実行する命令を記憶する。
また、メインメモリ６２０６は、プロセッサ６２０４が実行する命令の実行中に、一時変数または他の中間情報を記憶するのに使用することもできる。
コンピュータシステム６２００は、さらに、バス６２０２に接続されて、静的情報およびプロセッサ６２０４の命令を記憶する読み出し専用メモリ（ＲＯＭ）６２０８または他のスタティックストレージデバイスも含む。
磁気ディスクや光ディスク等のストレージデバイス６２１０は、トランザクションおよび相互作用データ、商品カタログデータ、注文データ、ならびに命令を記憶するために提供され、バス６２０２に接続される。
【０１２５】
コンピュータシステム６２００は、ユーザに情報を表示する陰極線管（ＣＲＴ）表示装置またはフラットパネル表示装置等の表示装置６２１２にバス６２０２を介して接続することができる。
英数字キーおよびファンクションキーを含む入力デバイス６１２４は、バス６２０２に接続されて、情報およびコマンドの選択したものをプロセッサ６２０４に通信する。
別のタイプのユーザ入力デバイスは、マウス、トラックボール、カーソル方向キー等のカーソル制御６２１６であり、方向情報およびコマンドの選択したものをプロセッサ６２０４に通信し、表示装置６２１２上のカーソル移動を制御する。
この入力デバイスは、通常、第１の軸（例えばｘ）および第２の軸（例えばｙ）の２つに軸における２つの自由度を有し、それによって、デバイスは平面上の位置を指定することが可能になる。
【０１２６】
本発明は、図６２に示すシステム等のコンピュータシステム６２００を使用して、事業に関係した商品およびサービスの契約、供給業者、および入札に関係した情報へのアクセスおよびこの情報の管理を行うことに関係する。
本発明の一実施の形態によると、供給業者の契約および入札は、入力デバイス６２１４、カーソル制御６２１６、または通信インタフェース６２１８を介して受信した入力に応答したプロセッサ６２０４がメインメモリ６２０６に含まれる命令シーケンスを実行することに応答して、コンピュータシステム６２００により追跡される。
このような命令は、ストレージデバイス６２１０等の別のコンピュータ可読媒体からメインメモリ６２０６に読み込むことができる。
【０１２７】
しかしながら、コンピュータ可読媒体は、ストレージデバイス６２１０等のデバイスに限定されるものではない。
例えば、コンピュータ可読媒体には、フロッピィディスク、フレキシブルディスク、ハードディスク、磁気テープ、もしくは他のあらゆる磁気媒体、ＣＤ−ＲＯＭ、他のあらゆる光媒体、パンチカード、紙テープ、穴のパターンを有する他のあらゆる物理媒体、ＲＡＭ、ＰＲＯＭ、ＥＰＲＯＭ、ＦＬＡＳＨ−ＥＰＲＯＭ、他のあらゆるメモリチップもしくはカートリッジ、電気信号、電磁気信号、赤外線信号、もしくは光信号で具現化される搬送波、またはコンピュータが読み出すことができる他のあらゆる媒体が含まれ得る。
メインメモリ６２０６に含まれる命令シーケンスを実行することによって、プロセッサ６２０４は、以下で説明するプロセッサステップを実行する。
代替的な実施の形態では、コンピュータソフトウェア命令に代えて、または、コンピュータソフトウェアと組み合わせて、配線接続された回路機構を使用することにより、本発明を実施することもできる。
したがって、本発明の実施の形態は、ハードウェア回路機構およびソフトウェアのどの特定の組み合わせにも限定されるものではない。
【０１２８】
また、コンピュータシステム６２００は、バス６２０２に接続された通信インタフェース６２１８も含む。
通信インタフェース６２０８は、既知のように２方向データ通信を提供する。
例えば、通信インタフェース６２１８は、対応するタイプの電話線にデータ通信接続を提供するサービス統合デジタル網（ＩＳＤＮ）カード、デジタル加入者線（ＤＳＬ）カード、またはモデムとすることができる。
別の例として、通信インタフェース６２１８は、互換性のあるローカルエリアネットワーク（ＬＡＮ）へのデータ通信接続を提供するＬＡＮカードとすることもできる。
無線リンクを実施することもできる。
このようないずれの実施態様においても、通信インタフェース６２１８は、さまざまなタイプの情報を表すデジタルデータストリームを搬送する電気信号、電磁気信号、または光信号を送受信する。
特に注目すべきは、インタフェース６２１８を通じた通信が、契約、供給業者、および入札に関係した情報の送信または受信を可能にすることである。
例えば、２つまたは３つ以上のコンピュータシステム６２００は、各コンピュータシステムが通信インタフェース６２１８を使用することによって、従来の方法で互いにネットワーク接続することができる。
【０１２９】
ネットワークリンク６２２０は、通常、１つまたは２つ以上のネットワークを通じて他のデータデバイスにデータ通信を提供する。
例えば、ネットワークリンク６２２０は、インターネットサービスプロバイダ（ＩＳＰ）６２２６によって運用されるホストコンピュータ６２２４またはデータ機器にローカルネットワーク６２２２を通じて接続を提供する。
ＩＳＰ６２２６は、現在、一般に「インターネット」６２２８と呼ばれる世界的なパケットデータ通信ネットワークを通じてデータ通信サービスを提供する。
ローカルネットワーク６２２２およびインターネット６２２８は共に、デジタルデータストリームを搬送する電気信号、電磁気信号、または光信号を使用する。
さまざまなネットワークを通る信号ならびにネットワークリンク６２２０上の信号および通信インタフェース６２１８を通る信号は、コンピュータシステム６２００へおよびコンピュータ６２００からデジタルデータを搬送するが、情報を転送する搬送波の例示の形式である。
【０１３０】
コンピュータシステム６２００は、ネットワーク（または複数のネットワーク）、ネットワークリンク６２２０、および通信インタフェース６２１８を通じて、メッセージを送信することができ、データを受信することができる。
このメッセージおよびデータには、プログラムコードが含まれる。
インターネットの例では、サーバ６２３０が、アプリケーションプログラム用の要求されたコードを、インターネット６２２８、ＩＳＰ６２２６、ローカルネットワーク６２２２、および通信インタフェース６２１８を通じて送信することができる。
本発明によると、このような１つのダウンロードされたアプリケーションが、契約、入札、および供給業者に関係した情報へのアクセスおよびこの情報の管理を行う。
【０１３１】
受信したコードは、受信時にプロセッサ６２０４が実行することができ、かつ／または、後の実行のためにストレージデバイス６２１０もしくは他の不揮発性ストレージに記憶することができる。
このように、コンピュータシステム６２００は、搬送波の形式でアプリケーションコードを取得することができる。
【０１３２】
上記明細書を読んだ後、当業者は、さまざまな変更、均等物の代用、および本明細書で広く開示した本発明のさまざまな他の態様に影響を与えることができる。
したがって、本発明に許可される保護は、添付した特許請求の範囲に含まれる定義およびその均等物によってのみ限定されることが意図される。
【図面の簡単な説明】
【０１３３】
【図１】本発明の一実施の形態による調達ワークベンチを示すハイレベルブロック図である。
【図２】図１の調達ワークベンチの一部のハイレベルブロック図である。
【図３】図１の契約／供給業者（Ｃ／Ｓ）データベースのエンティティ関係図である。
【図３Ａ】図１の契約／供給業者（Ｃ／Ｓ）データベースのエンティティ関係図である。
【図３Ｂ】図１の契約／供給業者（Ｃ／Ｓ）データベースのエンティティ関係図である。
【図３（Ｃ−１）】図１の契約／供給業者（Ｃ／Ｓ）データベースのエンティティ関係図である。
【図３（Ｃ−２）】図１の契約／供給業者（Ｃ／Ｓ）データベースのエンティティ関係図である。
【図３Ｄ】図１の契約／供給業者（Ｃ／Ｓ）データベースのエンティティ関係図である。
【図３（Ｅ−１）】図１の契約／供給業者（Ｃ／Ｓ）データベースのエンティティ関係図である。
【図３（Ｅ−２）】図１の契約／供給業者（Ｃ／Ｓ）データベースのエンティティ関係図である。
【図３（Ｅ−３）】図１の契約／供給業者（Ｃ／Ｓ）データベースのエンティティ関係図である。
【図３（Ｅ−４）】図１の契約／供給業者（Ｃ／Ｓ）データベースのエンティティ関係図である。
【図３（Ｅ−５）】図１の契約／供給業者（Ｃ／Ｓ）データベースのエンティティ関係図である。
【図３（Ｅ−６）】図１の契約／供給業者（Ｃ／Ｓ）データベースのエンティティ関係図である。
【図３（Ｅ−７）】図１の契約／供給業者（Ｃ／Ｓ）データベースのエンティティ関係図である。
【図３（Ｅ−８）】図１の契約／供給業者（Ｃ／Ｓ）データベースのエンティティ関係図である。
【図４Ａ】Ｃ／Ｓデータベースに含まれるテーブルである。
【図４Ｂ】Ｃ／Ｓデータベースに含まれるテーブルである。
【図４Ｃ（１）】Ｃ／Ｓデータベースに含まれるテーブルである。
【図４Ｃ（２）】Ｃ／Ｓデータベースに含まれるテーブルである。
【図４Ｄ】Ｃ／Ｓデータベースに含まれるテーブルである。
【図４Ｅ】Ｃ／Ｓデータベースに含まれるテーブルである。
【図４Ｆ】Ｃ／Ｓデータベースに含まれるテーブルである。
【図４Ｇ】Ｃ／Ｓデータベースに含まれるテーブルである。
【図４Ｈ】Ｃ／Ｓデータベースに含まれるテーブルである。
【図４Ｉ】Ｃ／Ｓデータベースに含まれるテーブルである。
【図４Ｊ】Ｃ／Ｓデータベースに含まれるテーブルである。
【図４Ｋ】Ｃ／Ｓデータベースに含まれるテーブルである。
【図４Ｌ】Ｃ／Ｓデータベースに含まれるテーブルである。
【図４Ｍ】Ｃ／Ｓデータベースに含まれるテーブルである。
【図４Ｎ】Ｃ／Ｓデータベースに含まれるテーブルである。
【図４Ｏ】Ｃ／Ｓデータベースに含まれるテーブルである。
【図４Ｐ】Ｃ／Ｓデータベースに含まれるテーブルである。
【図４Ｑ】Ｃ／Ｓデータベースに含まれるテーブルである。
【図４Ｒ】Ｃ／Ｓデータベースに含まれるテーブルである。
【図４Ｓ】Ｃ／Ｓデータベースに含まれるテーブルである。
【図４Ｔ】Ｃ／Ｓデータベースに含まれるテーブルである。
【図４Ｕ】Ｃ／Ｓデータベースに含まれるテーブルである。
【図４Ｖ】Ｃ／Ｓデータベースに含まれるテーブルである。
【図４Ｗ】Ｃ／Ｓデータベースに含まれるテーブルである。
【図４Ｘ】Ｃ／Ｓデータベースに含まれるテーブルである。
【図４Ｙ】Ｃ／Ｓデータベースに含まれるテーブルである。
【図４Ｚ】Ｃ／Ｓデータベースに含まれるテーブルである。
【図４ＡＡ】Ｃ／Ｓデータベースに含まれるテーブルである。
【図４ＢＢ】Ｃ／Ｓデータベースに含まれるテーブルである。
【図４ＣＣ】Ｃ／Ｓデータベースに含まれるテーブルである。
【図４ＤＤ】Ｃ／Ｓデータベースに含まれるテーブルである。
【図４ＥＥ】Ｃ／Ｓデータベースに含まれるテーブルである。
【図４ＦＦ】Ｃ／Ｓデータベースに含まれるテーブルである。
【図４ＧＧ】Ｃ／Ｓデータベースに含まれるテーブルである。
【図４ＨＨ】Ｃ／Ｓデータベースに含まれるテーブルである。
【図４ＩＩ】Ｃ／Ｓデータベースに含まれるテーブルである。
【図４ＪＪ】Ｃ／Ｓデータベースに含まれるテーブルである。
【図４ＫＫ】Ｃ／Ｓデータベースに含まれるテーブルである。
【図４ＬＬ】Ｃ／Ｓデータベースに含まれるテーブルである。
【図５】本発明の一実施の形態による調達ワークベンチ１００の一実施の形態と共に使用できる例示のグラフィカルユーザインタフェース（ＧＵＩ）５００の図である。
【図６】図５のＧＵＩ５００のナビゲーションバー５０２のクローズアップ図である。
【図７】本発明の一実施の形態によるスクリーンの図である。
【図８】本発明の一実施の形態によるスクリーンの図である。
【図９】本発明の一実施の形態によるスクリーンの図である。
【図１０】本発明の一実施の形態によるスクリーンの図である。
【図１１】本発明の一実施の形態によるスクリーンの図である。
【図１２】本発明の一実施の形態によるスクリーンの図である。
【図１３】本発明の一実施の形態によるスクリーンの図である。
【図１４】本発明の一実施の形態によるスクリーンの図である。
【図１５】本発明の一実施の形態によるスクリーンの図である。
【図１６】本発明の一実施の形態によるスクリーンの図である。
【図１７】本発明の一実施の形態によるスクリーンの図である。
【図１８】本発明の一実施の形態によるスクリーンの図である。
【図１９】本発明の一実施の形態によるスクリーンの図である。
【図２０】本発明の一実施の形態によるスクリーンの図である。
【図２１】本発明の一実施の形態によるスクリーンの図である。
【図２２】本発明の一実施の形態によるスクリーンの図である。
【図２３】本発明の一実施の形態によるスクリーンの図である。
【図２４】本発明の一実施の形態によるスクリーンの図である。
【図２５】本発明の一実施の形態によるスクリーンの図である。
【図２６】本発明の一実施の形態によるスクリーンの図である。
【図２７】本発明の一実施の形態によるスクリーンの図である。
【図２８】本発明の一実施の形態によるスクリーンの図である。
【図２９】本発明の一実施の形態によるスクリーンの図である。
【図３０】本発明の一実施の形態によるスクリーンの図である。
【図３１】本発明の一実施の形態によるスクリーンの図である。
【図３２】本発明の一実施の形態によるスクリーンの図である。
【図３３】本発明の一実施の形態によるスクリーンの図である。
【図３４】本発明の一実施の形態によるスクリーンの図である。
【図３５】本発明の一実施の形態によるスクリーンの図である。
【図３６】本発明の一実施の形態によるスクリーンの図である。
【図３７】本発明の一実施の形態によるスクリーンの図である。
【図３８】本発明の一実施の形態によるスクリーンの図である。
【図３９】本発明の一実施の形態によるスクリーンの図である。
【図４０】本発明の一実施の形態によるスクリーンの図である。
【図４１】本発明の一実施の形態によるスクリーンの図である。
【図４２】本発明の一実施の形態によるスクリーンの図である。
【図４３】本発明の一実施の形態によるスクリーンの図である。
【図４４】本発明の一実施の形態によるスクリーンの図である。
【図４５】本発明の一実施の形態によるスクリーンの図である。
【図４６】本発明の一実施の形態によるスクリーンの図である。
【図４７】本発明の一実施の形態によるスクリーンの図である。
【図４８】本発明の一実施の形態によるスクリーンの図である。
【図４９】本発明の一実施の形態によるスクリーンの図である。
【図５０】本発明の一実施の形態によるスクリーンの図である。
【図５１】本発明の一実施の形態によるスクリーンの図である。
【図５２】本発明の一実施の形態によるスクリーンの図である。
【図５３】本発明の一実施の形態によるスクリーンの図である。
【図５４】本発明の一実施の形態によるスクリーンの図である。
【図５５】本発明の一実施の形態によるスクリーンの図である。
【図５６】本発明の一実施の形態によるスクリーンの図である。
【図５７】本発明の一実施の形態によるスクリーンの図である。
【図５８】本発明の一実施の形態によるスクリーンの図である。
【図５９】本発明の一実施の形態によるスクリーンの図である。
【図６０】本発明による一例示の実施の形態のハードウェアコンポーネントおよびさまざまなハードウェアコンポーネント間のデータの流れのハイレベル図である。
【図６１】本発明による一例示の実施の形態の３層ビューのハイレベルブロック図である。
【図６２】本発明の一実施の形態を実施できる例示のコンピュータまたはユーザデバイスを示すブロック図である。
【符号の説明】
【０１３４】
１０２・・・契約／供給業者データベース，
１０４・・・ＯＰウェブポータル，
１０６・・・マーケティング（Ｄ＆Ｂ），
１０８・・・中央アドミニストレータ，
１１４・・・トータルバイ，
１１６・・・企業ディレクトリ，
１１８・・・文書ライブラリ，
２０２・・・供給業者，
２０４・・・ベンダファミリーマスタ，
２０６・・・トータルバイベンダマスタ，
６２０２・・・バス，
６２０４・・・プロセッサ，
６１０２・・・提示層（ＮＴ），
６１０４・・・サービス層，
６１０６・・・データ層，
６１０８・・・デスクトップクライアント／ブラウザ，
６１１０・・・Ａｐａｃｈｅウェブサーバ，
６１１４・・・データベース，
６１１８・・・ファイルネット，
６２０６・・・メインメモリ，
６２１０・・・ストレージデバイス，
６２１２・・・表示装置，
６２１４・・・入力デバイス，
６２１６・・・カーソル制御，
６２１８・・・通信インターフェース，
６２２０・・・ネットワークリンク，
６２２２・・・ローカルネットワーク，
６２２４・・・ホスト，
６２２８・・・インターネット，
６２３０・・・サーバ，
【図１】
2005259135.tif 000003
【図２】
2005259135.tif 000004
【図３】
2005259135.tif 000005
【図３Ａ】
2005259135.tif 000006
【図３Ｂ】
2005259135.tif 000007
【図３（Ｃ−１）】
2005259135.tif 000008
【図３（Ｃ−２）】
2005259135.tif 000009
【図３Ｄ】
2005259135.tif 000010
【図３（Ｅ−１）】
2005259135.tif 000011
【図３（Ｅ−２）】
2005259135.tif 000012
【図３（Ｅ−３）】
2005259135.tif 000013
【図３（Ｅ−４）】
2005259135.tif 000014
【図３（Ｅ−５）】
2005259135.tif 000015
【図３（Ｅ−６）】
2005259135.tif 000016
【図３（Ｅ−７）】
2005259135.tif 000017
【図３（Ｅ−８）】
2005259135.tif 000018
【図４Ａ】
2005259135.tif 000019
【図４Ｂ】
2005259135.tif 000020
【図４Ｃ（１）】
2005259135.tif 000021
【図４Ｃ（２）】
2005259135.tif 000022
【図４Ｄ】
2005259135.tif 000023
【図４Ｅ】
2005259135.tif 000024
【図４Ｆ】
2005259135.tif 000025
【図４Ｇ】
2005259135.tif 000026
【図４Ｈ】
2005259135.tif 000027
【図４Ｉ】
2005259135.tif 000028
【図４Ｊ】
2005259135.tif 000029
【図４Ｋ】
2005259135.tif 000030
【図４Ｌ】
2005259135.tif 000031
【図４Ｍ】
2005259135.tif 000032
【図４Ｎ】
2005259135.tif 000033
【図４Ｏ】
2005259135.tif 000034
【図４Ｐ】
2005259135.tif 000035
【図４Ｑ】
2005259135.tif 000036
【図４Ｒ】
2005259135.tif 000037
【図４Ｓ】
2005259135.tif 000038
【図４Ｔ】
2005259135.tif 000039
【図４Ｕ】
2005259135.tif 000040
【図４Ｖ】
2005259135.tif 000041
【図４Ｗ】
2005259135.tif 000042
【図４Ｘ】
2005259135.tif 000043
【図４Ｙ】
2005259135.tif 000044
【図４Ｚ】
2005259135.tif 000045
【図４ＡＡ】
2005259135.tif 000046
【図４ＢＢ】
2005259135.tif 000047
【図４ＣＣ】
2005259135.tif 000048
【図４ＤＤ】
2005259135.tif 000049
【図４ＥＥ】
2005259135.tif 000050
【図４ＦＦ】
2005259135.tif 000051
【図４ＧＧ】
2005259135.tif 000052
【図４ＨＨ】
2005259135.tif 000053
【図４ＩＩ】
2005259135.tif 000054
【図４ＪＪ】
2005259135.tif 000055
【図４ＫＫ】
2005259135.tif 000056
【図４ＬＬ】
2005259135.tif 000057
【図５】
2005259135.tif 000058
【図６】
2005259135.tif 000059
【図７】
2005259135.tif 000060
【図８】
2005259135.tif 000061
【図９】
2005259135.tif 000062
【図１０】
2005259135.tif 000063
【図１１】
2005259135.tif 000064
【図１２】
2005259135.tif 000065
【図１３】
2005259135.tif 000066
【図１４】
2005259135.tif 000067
【図１５】
2005259135.tif 000068
【図１６】
2005259135.tif 000069
【図１７】
2005259135.tif 000070
【図１８】
2005259135.tif 000071
【図１９】
2005259135.tif 000072
【図２０】
2005259135.tif 000073
【図２１】
2005259135.tif 000074
【図２２】
2005259135.tif 000075
【図２３】
2005259135.tif 000076
【図２４】
2005259135.tif 000077
【図２５】
2005259135.tif 000078
【図２６】
2005259135.tif 000079
【図２７】
2005259135.tif 000080
【図２８】
2005259135.tif 000081
【図２９】
2005259135.tif 000082
【図３０】
2005259135.tif 000083
【図３１】
2005259135.tif 000084
【図３２】
2005259135.tif 000085
【図３３】
2005259135.tif 000086
【図３４】
2005259135.tif 000087
【図３５】
2005259135.tif 000088
【図３６】
2005259135.tif 000089
【図３７】
2005259135.tif 000090
【図３８】
2005259135.tif 000091
【図３９】
2005259135.tif 000092
【図４０】
2005259135.tif 000093
【図４１】
2005259135.tif 000094
【図４２】
2005259135.tif 000095
【図４３】
2005259135.tif 000096
【図４４】
2005259135.tif 000097
【図４５】
2005259135.tif 000098
【図４６】
2005259135.tif 000099
【図４７】
2005259135.tif 000100
【図４８】
2005259135.tif 000101
【図４９】
2005259135.tif 000102
【図５０】
2005259135.tif 000103
【図５１】
2005259135.tif 000104
【図５２】
2005259135.tif 000105
【図５３】
2005259135.tif 000106
【図５４】
2005259135.tif 000107
【図５５】
2005259135.tif 000108
【図５６】
2005259135.tif 000109
【図５７】
2005259135.tif 000110
【図５８】
2005259135.tif 000111
【図５９】
2005259135.tif 000112
【図６０】
2005259135.tif 000113
【図６１】
2005259135.tif 000114
【図６２】
2005259135.tif 000115